(57)【要約】【課題】  軽量化を図りつつ外部から加えられる衝撃に対して角部の破損を防止可能な電子機器を提供する。【解決手段】  パームレスト７は、角部Ｃを形成する側壁１２を備える。角部Ｃの側壁１２には、長穴１８が形成されている。盗難防止補強部材５０は、角部Ｃの側壁１２の内面７０に沿って隣接して設けられた角補強部５６を備える。また、盗難防止補強部材５０は、長穴１８に連通する長穴６２が形成されている。これにより、パームレスト７の角部Ｃの長穴１８及び６２に盗難防止用のロック部１００を挿入して鍵をかけ盗難を防止することができる。このように、盗難防止補強部材５０を用いて、電子機器１の盗難を防止すると共に、角補強部５６により角部Ｃの側壁１２を補強することができる。つまり、盗難防止補強部材５０を兼用することができるので、電子機器１の角部Ｃの補強と共に軽量化を図ることができる。【選択図】図８
2010152782.tif 000002
【特許請求の範囲】
【請求項１】
第１の角部の第１の側壁に盗難防止用部材を挿抜可能な第１の穴部を有する矩形の筺体と、
前記筺体の前記第１の角部を補強するために、前記第１の角部の第１の側壁の内側に対向して配置され、前記第１の穴部と連通して設けられ、前記第１の穴部とともに盗難防止用部材を固定可能な固定穴を形成する第２の穴部を有する第１の補強部と
を具備する
電子機器。
【請求項２】
請求項１に記載の電子機器であって、
前記第１の補強部は、前記第１の角部の第１の側壁の第１の内面に沿って設けられている
電子機器。
【請求項３】
請求項２に記載の電子機器であって、
前記筺体の前記第１の角部とは異なる第２の角部の近くに設けられた入力信号制御基板と、
前記第２の角部を補強するために、前記第２の角部の第２の側壁の内側に対向して配置され前記入力信号制御基板を支持する第２の補強部と
を更に具備する
電子機器。
【請求項４】
請求項３に記載の電子機器であって、
前記第２の補強部は、前記第２の角部の第２の側壁の第２の内面に沿って設けられている
電子機器。
【請求項５】
請求項４に記載の電子機器であって、
前記筺体の第１の角部及び第２の角部とは異なる第３の角部の第３の側壁の第３の内面に対向して隣接して配置された第３の補強部を更に具備する
電子機器。
【請求項６】
請求項５に記載の電子機器であって、
前記筺体は、各前記側壁に繋がる平板部を有し、
前記第３の角部の第３の側壁は、前記平板部の端縁から外側に広がるように前記平板部に対して傾斜しており、
前記第３の補強部は、前記第３の角部の第３の側壁が前記平板部の前記端縁から外側に最もはみ出した位置の近傍で前記第３の内面に当接して配置されている
電子機器。
【発明の詳細な説明】
【技術分野】
【０００１】
本発明は、ノート型パーソナルコンピュータ等の電子機器に関する。
【背景技術】
【０００２】
近年、携帯電話やノート型パーソナルコンピュータ等のように、ユーザが持ち運ぶことが可能な電子機器が広く用いられている。これらの電子機器は、ユーザにより持ち運ばれるため、振動や落下等の衝撃に耐え得る構造や強度が要求される。
【０００３】
電子機器の落下による電子機器の表示装置の破損を防止する技術として、例えば表示装置の下側に配置された下部筺体の内面から、表示装置の上側に配置された上部筺体に向かって伸びる梁を備える技術が開示されている。例えば電子機器が落下して電子機器に衝撃が加わったときに、梁の先端が上部筺体に接するため、表示装置に係る荷重を減らし表示装置の破損を防止している（例えば、特許文献１参照）。
【特許文献１】特開２００８−２３３３３７号公報（段落［００１３］、［００１４］、図４）
【発明の開示】
【発明が解決しようとする課題】
【０００４】
しかしながら、上記した技術では、電子機器の表示装置の破損を防止することは可能であるが、電子機器の角部の破損を防止することはできない。電子機器が落下したときには、電子機器の角部に大きな衝撃が加わり易く、電子機器の角部付近が破損してしまう、という問題がある。
【０００５】
電子機器を構成する筺体の角部付近に補強リブ等の補強部材を新たに設けることで、筺体の角部付近を補強することも考えられるが、補強リブ等による補強では、電子機器の落下時の衝撃に耐えることができず、補強リブが折れ曲がってしまう、という問題がある。また、電子機器の角部を落下の衝撃などから補強するために、角部付近に新たな補強部材を設ける場合には電子機器が重くなってしまう、という問題がある。
【０００６】
以上のような事情に鑑み、本発明の目的は、軽量化を図りつつ外部から加えられる衝撃に対して角部の破損を防止可能な電子機器を提供することにある。
【課題を解決するための手段】
【０００７】
上記課題を解決するために、本発明の一態様に係る電子機器は、筺体と、第１の補強部とを有する。上記筺体は、第１の角部の第１の側壁に盗難防止用部材を挿抜可能な第１の穴部を有し矩形状である。上記第１の補強部は、上記筺体の上記第１の角部を補強するために、上記第１の角部の第１の側壁の内側に対向して配置され、上記第１の穴部と連通して設けられ、上記第１の穴部とともに盗難防止用部材を固定可能な固定穴を形成する第２の穴部を有する。
【０００８】
本発明では、筺体が盗難防止用部材を挿抜可能な第１の穴部を有し、第１の補強部が第１の角部の第１の側壁の内側に対向して配置され第１の穴部とともに盗難防止用部材を固定可能な固定穴を形成する第２の穴部を有する。このため、固定穴に盗難防止用部材を固定し電子機器の盗難を防止することができると共に、第１の角部の側壁を補強することができる。つまり、第１の補強部を盗難防止用部材の固定穴に兼用することができる。この結果、電子機器の軽量化を図りつつ外部から加えられる衝撃に対して筺体の角部の破損を防止することができる。
【０００９】
上記第１の補強部は、上記第１の角部の第１の側壁の第１の内面に沿って設けられているようにしてもよい。これにより、第１の補強部により、第１の角部をより確実に補強することができる。
【００１０】
上記筺体の上記第１の角部とは異なる第２の角部の近くに設けられた入力信号制御基板と、上記第２の角部を補強するために、上記第２の角部の第２の側壁の内側に対向して配置され上記入力信号制御基板を支持する第２の補強部とを更に具備するようにしてもよい。  
これにより、第２の補強部により第２の角部の第２の側壁を補強することができると共に、入力信号制御基板を支持することができる。つまり、第２の補強部を、入力信号制御基板を支持するために兼用することができる。この結果、電子機器の軽量化を図りつつ外部から加えられる衝撃に対して筺体の第２の角部の破損を防止することができる。
【００１１】
上記第２の補強部は、上記第２の角部の第２の側壁の第２の内面に沿って設けられているようにしてもよい。これにより、第２の補強部により、第２の角部をより確実に補強することができる。
【００１２】
上記筺体の第１の角部及び第２の角部とは異なる第３の角部の第３の側壁の第３の内面に対向して隣接して配置された第３の補強部を更に具備するようにしてもよい。これにより、第３の角部の第３の側壁の第３の内面に沿って隣接するように設けられた第３の補強部材により、筺体の第３の角部を確実に補強することができる。
【００１３】
上記筺体は、各上記側壁に繋がる平板部を有し、上記第３の角部の第３の側壁は、上記平板部の端縁から外側に広がるように上記平板部に対して傾斜しており、上記第３の補強部は、上記第３の角部の第３の側壁が上記平板部の上記端縁から外側に最もはみ出した位置の近傍で上記第３の内面に当接して配置されているようにしてもよい。  
これにより、第３の補強部は、第３の角部が平板部の端縁から外側に最もはみ出した位置の近傍を確実に補強し、第３の角部の最も破損しやすい箇所を確実に補強することができる。
【発明の効果】
【００１４】
以上のように、本発明によれば、軽量化を図りつつ外部から加えられる衝撃に対して角部の破損を防止することができる。
【発明を実施するための最良の形態】
【００１５】
以下、本発明の実施の形態を図面に基づき説明する。
【００１６】
＜電子機器の構成＞
図１は本発明の一実施形態に係る電子機器の斜視図である。  
電子機器１は、表示部２と、本体部３と、これら表示部２と本体部３とを回動自在に連結するヒンジ連結部４とを備えている。
【００１７】
表示部２は、ヒンジ連結部４を介して本体部３に対して開閉可能である。表示部２は、表示部２の筐体５、表示画面６と、筐体５内に設けられた表示処理を行う図示しない表示パネルとを備えている。
【００１８】
筐体５は、図示しない表示処理ユニットを収容する表示部２の外装部品である。表示画面６は、情報を表示するための画面であり、閉じた状態で本体部３に対面する。
【００１９】
本体部３は、本体部３の上面側の外装を構成するパームレスト７、本体部３の底面側の外装を構成するボトム８、キーボードユニット９、図示しない中央処理装置、図示しないハードディスク装置などの部品を備えている。
【００２０】
パームレスト７と、ボトム８とは、本体部３の外装部品である。パームレスト７と、ボトム８とは共に板形状を有し、互いに組み合わされて本体部３の外装面を形成する。キーボードユニット９は、例えば複数のキー等を備えており、電子機器１の入力部として機能する。中央処理装置は、ボトム８内の多層プリント配線板に実装されている。中央処理装置は、キーボードユニット９からの入力信号を受けて、演算処理、制御処理、画像処理、表示部２への出力処理などの各種処理を行い、この電子機器１の実質的な機能上の本体として機能する。ヒンジ連結部４は、表示部２と、本体部３とを回動自在に連結する。本体部３には、ユーザによる所定の切替操作を実行するための複数のボタン１０が設けられている。
【００２１】
図２は図１に示す電子機器１の本体部３の平面図である。なお、図２では、本体部３の４個の角部付近の内部の概略構成を点線で示す。
【００２２】
本体部３は、その４つの角部Ａ、Ｂ、Ｃ及びＤに、これらの角部Ａ、Ｂ、Ｃ及びＤを補強する補強構造を備える。以下、角部Ａ、Ｂ、Ｃ及びＤの詳細について説明する。
【００２３】
図３は図２に示す本体部３のパームレスト７の斜視図である。つまり、図２に示す本体部３からパームレスト７を取り外しその内面側を上にして配置した図である。  
パームレスト７は、多層プリント配線板等を覆う平板部１１や平板部１１の外周から立ち上がる側壁１２を備える。側壁１２は、平板部１１の角付近で角に沿って曲がって設けられ角部を形成している。パームレスト７の４つの角部Ａ、Ｂ、Ｃ及びＤ付近には、それぞれボス１３、１４、１５及び１６が突設されている。ボス１３〜１６は、平板部１１の内底面から突出して設けられている。ボス１３〜１６は、パームレスト７とボトム８とネジ止めするために用いられる。
【００２４】
パームレスト７の角部Ｃには、盗難防止と補強とを兼ねる後述する盗難防止補強部材が挿入される穴部１７が形成されている。角部Ｃ付近の側壁１２には、盗難防止用のロック部が挿入される穴部としての長穴１８が形成されている。
【００２５】
パームレスト７の角部Ｄには、後述するスイッチ基板やモールド部材が収容されるスペースＳが設けられている。パームレスト７の角部Ｄ付近には、上述した図１に示す複数のボタン１０が押下可能に挿入される複数の貫通穴２０が形成されている。
【００２６】
＜角部Ａの構成＞
図４は図３に示すパームレスト７の角部Ａの拡大斜視図、図５は図４に示す金属補強プレートの斜視図及び平面図、図６は図４に示すパームレスト７の角部ＡのＥ−Ｅ断面図である。  
金属補強プレート３０は、角部Ａ付近の側壁１２の内面３１と、ボス１３の外面との間にほぼ隙間なく設けられている。金属補強プレート３０は、パームレスト７に溶接３２により複数箇所で固定されている。角部Ａ付近の側壁１２の内面３１は湾曲している。金属補強プレート３０は、この湾曲した側壁１２の内面３１に対向し隣接して沿って配置されている。なお、本実施形態では、金属補強プレート３０を２箇所で溶接する例を示したが、溶接箇所数はこれに限定されない。また、金属補強プレート３０がパームレスト７に複数箇所でネジ止めされるようにしてもよい。
【００２７】
金属補強プレート３０は、図５に示すように略Ｌ字形状を有しており、それぞれの端部付近に溶接用の貫通穴３４が形成されている。金属補強プレート３０は、側壁１２の内面３１に沿う滑らかな曲面３５を備えると共に、ボス１３の側面に沿う滑らかな曲面３６を備える。
【００２８】
金属補強プレート３０の厚さは、軽量化を図りつつ電子機器１の落下時に角部Ａ付近でパームレスト７の破損を防止することが可能となる強度を有する厚さに定められている。金属補強プレート３０の構成材料には、例えはアルミニウムが用いられているが、これに限定されず、必要とされる補強強度に応じて適宜鉄等の異なる材料が用いられる。
【００２９】
パームレスト７の側壁１２は、図６に示すように、平板部１１の端から外側に広がるように平板部１１に対して傾斜して設けられている。金属補強プレート３０は、側壁１２が平板部１１から外側に最もはみ出した位置に近い位置で側壁１２の内面３１に当接して配置されている。つまり、金属補強プレート３０は、パームレスト７の側壁１２の高さ方向（図６のＺ方向）で側壁１２の端Ｔに近い位置に設けられている。結果的に、金属補強プレート３０は、平板部１１からＫ方向に最もはみ出した位置に近い位置で側壁１２の内面３１に当接して配置されている。ここで、Ｋ方向とは、角部Ａの角（約９０度）を二等分する線分の方向である。
【００３０】
＜角部Ｂの構成＞
図７は図３に示すパームレスト７の角部Ｂの拡大斜視図である。  
金属補強プレート４０は、角部Ｂ付近の側壁１２の内面４１と、ボス１４の側面との間にほぼ隙間なく設けられ、パームレスト７に溶接４２により複数箇所で固定されている。角部Ｂ付近の側壁１２の内面４１は湾曲している。金属補強プレート４０は、この湾曲した側壁１２の内面４１に沿って配置されている。なお、金属補強プレート４０の溶接箇所数は限定されない。また、金属補強プレート４０がパームレスト７に複数箇所でネジ止めされるようにしてもよい。
【００３１】
金属補強プレート４０は、金属補強プレート３０と同一の部材が用いられている。これにより、金属補強プレート３０、４０の製造コスト及び生産性の向上を図ることができる。
【００３２】
ボス１４の側周面には、複数のリブ４３が設けられている。ボス１４と、側壁１２との間に設けられたリブ４４の形状は、リブ４４と側壁１２の内面４１との間に金属補強プレート４０が嵌るように調整されている。
【００３３】
パームレスト７の側壁１２は、図６に示す側壁１２と同様に、角部Ｂでは図７に示すように平板部１１の端から外側に広がるように傾斜して配置されている。つまり、金属補強プレート４０は、パームレスト７の側壁１２の高さ方向（図７のＺ方向）で側壁１２の端Ｔに近い位置に設けられている。結果的に、金属補強プレート４０は、平板部１１からＪ方向に最もはみ出した位置に近い位置で側壁１２の内面４１に当接して配置されている。ここで、Ｊ方向とは、角部Ｂの角（約９０度）を二等分する線分の方向である。
【００３４】
＜角部Ｃの構成＞
図８は図３に示すパームレスト７の角部Ｃの拡大斜視図である。なお、図８では、図３に示されていない盗難防止補強プレートを図示する。
【００３５】
パームレスト７の穴部１７内には、盗難防止補強部材５０が収容されている。盗難防止補強部材５０は、パームレスト７側等にネジ５９によりネジ止めされている。
【００３６】
図９は図８に示す盗難防止補強部材５０の斜視図、図１０は図９に示す盗難防止補強部材５０の六面図、図１１は図１に示す電子機器１のＦ−Ｆ断面図、図１６は盗難防止補強部材５０に盗難防止用部材が固定された状態を示す図である。  
盗難防止補強部材５０は、図９に示すように、平面部５１、側面補強部５２、ネジ止め部５３、固定用脚部５４、ネジ止め部５５及び角補強部５６を備える。  
平面部５１には、複数の長穴６１が形成されており、軽量化が図られている。長穴６１は、平面部５１の強度を確保しつつ軽量化を図ることができるように、互いに所定の間隔で形成されている。平面部５１には、平面部５１をボトム８に固定するためのネジが螺合するネジ穴６６が形成されている（図１１参照）。なお、このネジ穴６６の数は、特に限定されない。
【００３７】
側面補強部５２は、パームレスト７の角部Ｃの側壁１２の内面７０に対向するように配置されている。側面補強部５２は、平面部５１から直角に立ち上がるように設けられている。側面補強部５２は、図１１に示すように側壁１２をその内側から補強する。平面部５１に対する側面補強部５２の角度、つまり、平面部５１と側面補強部５２とのなす角は、９０度より小さくなっている（例えば８７度）。
【００３８】
側面補強部５２の中央には、長穴１８とともに盗難防止用のロック部を固定可能な固定穴を形成する長穴６２が形成されている。長穴６２の形状は、パームレスト７の側壁１２に形成された長穴１８の形状と同形状である（図８及び図１１参照）。また、図８及び図１１に示すように、長穴１８と、長穴６２との位置が重なるように、パームレスト７やボトム８に対して盗難防止補強部材５０がネジ止めされている。つまり、長穴１８と、長穴６２とは、連通している。この結果、図１６に示す盗難防止用部材としてのロック部１００を長穴１８及び６２で形成された固定穴内に挿入し、外部から鍵をかけて係止部１０１を長穴６２に係止させ電子機器１の盗難を防止することができる。より具体的には、ロック部１００は、図示しないワイヤの一端に接続されている。ワイヤの他端を電子機器１とは異なる外部の机等に固定することで、電子機器１を机等に固定し、盗難を防止することができる。ロック部としては、例えばケンジントンロックが用いられるがこれに限定されない。なお、ロック部１００は、鍵をかけない状態では、長穴１８及び６２に挿抜することができる。
【００３９】
ネジ止め部５３は、側面補強部５２の端に平面部５１と平行に設けられている。つまり、ネジ止め部５３は、平面部５１に対向するように設けられている。ネジ止め部５３には、パームレスト７側に盗難防止補強部材５０をネジ止めするためのネジが挿入されるネジ穴６７が形成されている。ネジ穴６７の径は、ネジ穴６６の径より小さい。
【００４０】
固定用脚部５４は、平面部５１から直角に立ち上がるように設けられ、その端にネジ止め部５５が固定用脚部５４に対して直角に設けられている。ネジ止め部５５は、ネジ止め部５３と平行に設けられている。固定用脚部５４には、長穴６３が形成されている。ネジ止め部５５には、盗難防止補強部材５０をパームレスト７側にネジ止めするためのネジが挿入されるネジ穴６４が形成されている。
【００４１】
角補強部５６は、図９、図１０に示すように側面補強部５２から延設するように湾曲して設けられている。図１０に示すように、側面補強部５２の外面と、角補強部５６の外面とは、滑らかにつながって湾曲している。角補強部５６は、図８に示すようにパームレスト７の角部Ｃを補強する。つまり、角補強部５６は、図８に示すパームレスト７の角部Ｃを構成する側壁１２の内面７０に沿うように設けられている。この結果、図８に示すように、角補強部５６と側壁１２の内面７０とは、穴部１７内でほぼ隙間なく接触して設けられる。角補強部５６には、軽量化のための長穴７１が形成されている。なお、盗難防止補強部材５０の角補強部５６が、側壁補強部５２から図９に示す長穴６２の長手方向（図９のＹ方向）に直交する方向（図９のＸ方向）に延在されている例を示した。しかし、この角補強部５６がＸ方向に延在する長さは特に限定されない。例えば角補強部５６が図９に示すＸ方向でよりネジ穴６６に近い位置まで延在するようにしてもよい。これにより、角部Ｃ付近において確実かつ広範囲でパームレスト７の補強を行うことができる。
【００４２】
＜角部Ｄの構成＞
図１２は図２に示す電子機器１の本体部３からパームレスト７を取り外したボトム８側の角部Ｄの拡大斜視図、図１３は図１２に示すボトム８側の角部Ｄの拡大平面図である。  
ボトム８は、ボトム８の底面を構成する底面部８１と、底面部８１から立ち上がるように設けられた側壁部８２とを備える。ボトム８の角部Ｄ付近には、図示しないケーブル類を接続可能な接続端子部８３が配設されている。ボトム８の角部Ｄ付近には、これらの接続端子部８３を避けてスイッチ基板８４がモールド部材８５を介して配置されている。
【００４３】
スイッチ基板８４には、図１に示すボタン１０がユーザにより押下されたときに押下される複数の押しボタン式のスイッチ８８が実装されている。
【００４４】
モールド部材８５は、スイッチ基板８４を支持すると共に、角部Ｄの図１２では図示しないパームレスト７の角部Ｄの側壁１２やボトム８の側壁部８２をその内側から補強する機能を備える。モールド部材８５は、スイッチ基板８４を支持するために、スイッチ基板８４とボトム８との間に設けられるモールド部材である。モールド部材８５の構成材料には、例えば樹脂等が用いられる。
【００４５】
図１４は図１２に示す角部Ｄに配置されたモールド部材８５の斜視図、図１５は図１２に示す角部Ｄに配置されたモールド部材８５の六面図である。
【００４６】
モールド部材８５は、支持部９１、側面部９２、ネジ止め部９３、角補強部９４を備える。
【００４７】
支持部９１は、スイッチ基板８４を支持する。支持部９１は、図１４では見えない側の面でスイッチ基板８４を支持する。支持部９１は、モールド部材８５、パームレスト７及びボトム８をネジ止めするためのボス９５を備える。支持部９１の中央には、モールド部材８５の軽量化を図るための貫通穴９６が形成されている。貫通穴９６のサイズは、モールド部材８５の強度を確保しつつも可能な限り大きく形成されている。
【００４８】
側面部９２は、支持部９１に対して立ち上がり湾曲するように設けられている。側面部９２には、複数の長穴形状の貫通穴９７が所定の間隔で形成されている。ネジ止め部９３は、支持部９１から突出するように設けられており、モールド部材８５をボトム８にネジ止めするためのネジが螺合するネジ穴が形成されている。
【００４９】
角補強部９４は、パームレスト７の角部Ｄの側壁１２やボトム８の角部Ｄの側壁部８２を補強する。角補強部９４は、パームレスト７の角部Ｄの側壁１２の内面９８（図３参照）やボトム８の側壁部８２の内面に対向して隣接して設けられている。角補強部９４は、パームレスト７の角部Ｄの側壁１２の内面９８（図３参照）やボトム８の側壁部８２の内面に沿う湾曲形状を有する。角補強部９４は、パームレスト７の角部Ｄの側壁１２やボトム８の側壁部８２の内面に沿うように配置される。角補強部９４は、ボトム８にモールド部材８５をネジ止めするためのネジが螺合するネジ穴が形成されている。
【００５０】
＜作用等＞
このように本実施形態によれば、パームレスト７は、平板部１１から立ち上がり角部Ｃを形成する側壁１２を備える。角部Ｃの側壁１２には、長穴１８が形成されている。盗難防止補強部材５０は、角部Ｃの側壁１２の内面７０に沿って隣接して設けられた角補強部５６を備える（図８及び図９参照）。また、盗難防止補強部材５０は、長穴１８に連通する長穴６２が形成されている。
【００５１】
これにより、パームレスト７の角部Ｃの側壁１２の長穴１８及び６２に盗難防止用のロック部１００を挿入して鍵をかけ盗難を防止することができる。このように、盗難防止補強部材５０を用いて、電子機器１の盗難を防止すると共に、角補強部５６により角部Ｃの側壁１２を補強することができる。つまり、盗難防止補強部材５０を兼用することができるので、電子機器１の角部Ｃの補強と共に軽量化を図ることができる。
【００５２】
特に、盗難防止補強部材５０の角補強部５６は、図８や図１０に示すように側壁１２の内面７０に沿う曲面形状を有し、角補強部５６が内面７０に沿って隣接して設けられているので、角部Ｃでの側壁１２の補強効果を向上させることができる。盗難防止補強部材５０は、図９及び図１０に示すように、貫通穴６１、６３、７１等を備えるので、盗難防止補強部材５０の更なる軽量化を図ることができる。
【００５３】
盗難防止用のロック部１００を接続するための長穴１８の位置をユーザの位置から遠い本体部３の背面側に設けることができるので（図３参照）、例えばロック部１００に繋がるワイヤ等が邪魔にならずユーザの使い勝手を向上させることができる。
【００５４】
盗難防止補強部材５０は、ネジ穴６６、６４及び６７により、パームレスト７やボトム８に複数箇所で固定されている。このため、電子機器１が角部Ｃを下にして落下したときなどに、外部からの衝撃力が側壁１２を介して盗難防止補強部材５０に加えられても、複数箇所で確実に衝撃力を受けることができ、盗難防止補強部材５０のネジ止め箇所の破損等を確実に防止することができる。
【００５５】
モールド部材８５は、図１２では図示しないパームレスト７の角部Ｄの側壁１２や図１２に示すようにボトム８の角部Ｄの側壁部８２を補強する角補強部９４を備える。モールド部材８５の角補強部９４は、図１２では図示しないパームレスト７の角部Ｄの側壁１２やボトム８の側壁部８２の内面に沿う湾曲形状を有し、ボトム８の側壁部８２の内面に沿うように配置されている。
【００５６】
このため、モールド部材８５を用いることで、スイッチ基板８４を支持することができると共に、図１２では図示しないパームレスト７の角部Ｄの側壁１２やボトム８の側壁部８２を補強することができる。つまり、モールド部材８５を兼用することができるので、電子機器１の軽量化を図りつつ角部Ｄの側壁１２を補強することができる。
【００５７】
モールド部材８５の角補強部９４は、図１３では図示しないパームレスト７の角部Ｄの側壁１２や図１３に示す側壁部８２の内面に沿う曲面形状を有し、角補強部９４がパームレスト７の角部Ｄの側壁１２の内面等に沿って隣接して設けられている。このため、パームレスト７の角部Ｄの側壁１２やボトム８の側壁部８２の補強効果を向上させることができる。モールド部材８５は、樹脂製であると共に、図１４に示すように複数の貫通穴９６、９７が形成されているので、軽量化を実現することができる。
【００５８】
金属補強プレート４０は、図７に示すように、パームレスト７の角部Ｂ付近の側壁１２の内面４１と、ボス１４の側面に設けられたリブ４４との間にほぼ隙間なく設けられ、この湾曲した内面４１に沿って隣接して配置されている。このため、金属補強プレート４０により、パームレスト７の角部Ｂを確実に補強することができる。
【００５９】
具体的には、パームレスト７の角部Ｂ付近で側壁１２に外部からＫ方向に衝撃力が加えられたときに、金属補強プレート４０により側壁１２の破損や変形などを防止することができる。このとき、金属補強プレート４０がボス１４の側面のリブ４４にほぼ隙間なく隣接して設けられているので、衝撃力を金属補強プレート４０と共にボス１４により受けることができ、側壁１２の凹みや破損等をより確実に防止することができる。なお、パームレスト７の角部Ａ付近の側壁１２についても同様に角部Ａの側壁１２を確実に補強することができる。
【００６０】
金属補強プレート４０は、金属補強プレート３０と同一の部材が用いられている。これにより、金属補強プレート３０、４０の製造コストを低下させ、かつ金属補強プレート４０等の作業効率を向上させて、電子機器１の生産性の向上をさせることができる。
【００６１】
角部Ｂを形成する側壁１２は、図６に示すように平板部１１の端から外側に広がるように平板部１１に対して傾斜している。また、図６に示すように金属補強プレート３０は、側壁１２が平板部１１から外側に最もはみ出した位置に近い位置で側壁１２の内面３１にそれぞれ当接して配置されている。角部Ａでの金属補強プレート４０についても同様である。
【００６２】
このため、電子機器１が角部Ａ又はＢを下にして落下したとき等に最も大きな衝撃力が働く角部Ａ、Ｂの最も突出した位置を確実に補強することができる。
【００６３】
盗難防止補強部材５０の側面補強部５２は、図１１に示すようにパームレスト７の平板部１１の端から外側に徐々にはみ出す側壁１２の内面に対向して設けられている。盗難防止補強部材５０の側面補強部５２は、角部Ｃ付近で最も外側にはみ出した位置の近くの側壁１２を側壁１２の内面側から補強することができる。この結果、電子機器１が角部Ｃを下にして落下したとき等に最も大きな衝撃力が働く側壁１２の最も突出した位置を側面補強部５２により確実に補強することができる。
【００６４】
モールド部材８５の角補強部９４は、図１２では図示しないパームレスト７の平板部１１の端から外側に徐々にはみ出す側壁１２の内面に接触するように設けられる。つまり、モールド部材８５の角補強部９４は、角部Ｄ付近で最も外側にはみ出した位置の近くの側壁１２を側壁１２の内面側から補強することができる。この結果、電子機器１が角部Ｄを下にして落下したとき等に最も大きな衝撃力が働く側壁１２の最も突出した位置を角補強部９４により確実に補強することができる。
【００６５】
以上、好ましい実施形態を挙げて本発明を説明したが、本発明は上述した実施形態に限定されず、本発明の技術思想の範囲内で適宜変更できるものである。
【００６６】
なお、上記実施形態では、図４及び図６に示すように、角部Ａに金属補強プレート３０を１個設ける例を示した。しかし、これに限定されず、例えば角部Ａにおいて、図６に示す金属補強プレート３０の上や下に重なるように別の図示しない金属補強プレートを配置するようにしてもよい。角部Ｂにおいても同様に金属補強プレート４０の上又は下に重なるように別の金属補強プレートを配置するようにしてもよい。これにより、角部Ａ等でパームレスト７をより確実に補強することができる。なお、金属補強プレート３０、４０の厚さをより厚くするようにしても同様に側壁１２の補強効果を向上させることができる。
【００６７】
上記実施形態では、モールド部材８５の角補強部９４の厚さを、モールド部材８５の支持部９１等の厚さとほぼ同じにする例を示した。しかし、角補強部９４の厚さを支持部９１等の厚さより厚くするようにしてもよい。これにより、パームレスト７の角部Ｄ付近での側壁１２の補強効果を向上させることができる。
【図面の簡単な説明】
【００６８】
【図１】本発明の一実施形態に係る電子機器の斜視図である。
【図２】図１に示す電子機器の本体部の平面図である。
【図３】図２に示す本体部のパームレストの斜視図である。
【図４】図３に示すパームレストの角部Ａの拡大斜視図である。
【図５】図４に示す金属補強プレートの斜視図及び平面図である。
【図６】図４に示すパームレストの角部ＡのＥ−Ｅ断面図である。
【図７】図３に示すパームレストの角部Ｂの拡大斜視図である。
【図８】図３に示すパームレストの角部Ｃの拡大斜視図である。
【図９】図８に示す盗難防止補強プレートの斜視図である。
【図１０】図９に示す盗難防止補強プレートの六面図である。
【図１１】図１に示す電子機器のＦ−Ｆ断面図である。
【図１２】図２に示す電子機器の本体部からパームレストを取り外したボトム側の角部Ｄの拡大斜視図である。
【図１３】図１２に示すボトム側の角部Ｄの拡大平面図である。
【図１４】図１２に示す角部Ｄに配置されたモールド部材の斜視図である。
【図１５】図１２に示す角部Ｄに配置されたモールド部材の六面図である。
【図１６】盗難防止補強部材に盗難防止用部材が固定された状態を示す図である。
【符号の説明】
【００６９】
Ａ、Ｂ、Ｃ、Ｄ  角部
１  電子機器
２  表示部
３  本体部
７  パームレスト
８  ボトム
１１  平板部
１２  側壁
１８、６２  長穴
３０、４０  金属補強プレート
３１、４１、７０、９８  内面
５０  盗難防止補強部材
５６、９４  角補強部
８２  側壁部
８４  スイッチ基板
８５  モールド部材
９１  支持部
【図１】
2010152782.tif 000003
【図２】
2010152782.tif 000004
【図３】
2010152782.tif 000005
【図４】
2010152782.tif 000006
【図５】
2010152782.tif 000007
【図６】
2010152782.tif 000008
【図７】
2010152782.tif 000009
【図８】
2010152782.tif 000010
【図９】
2010152782.tif 000011
【図１０】
2010152782.tif 000012
【図１１】
2010152782.tif 000013
【図１２】
2010152782.tif 000014
【図１３】
2010152782.tif 000015
【図１４】
2010152782.tif 000016
【図１５】
2010152782.tif 000017
【図１６】
2010152782.tif 000018